(57)【要約】      （修正有）【課題】隣接する偏光板の隙間による極端な背景色の変化を低減させる。【解決手段】表示部を有する液晶セル４と、この液晶セル４を照明する光源３と、この光源３と液晶セル４との間に配置され液晶セル４を透過して前方側より入射する入射光を液晶セル４側に反射すると共に光源３からのバックライト光を液晶セル４側に透過する透過型反射板５とを備えた表示装置において、液晶セル４は、複数の領域に区分された裏面偏光板４４が積層され、複数の領域が隣接する境界に形成された境界着色層を有している。【選択図】図１
2013178357.tif 000002
【特許請求の範囲】
【請求項１】
一対の透明電極間への選択的な電圧印加により透過状態と不透過状態とが切り換わる表示部を有する液晶セルと、前記液晶セルを照明する光源と、前記光源と前記液晶セルとの間に配置され前記液晶セルを透過して前方側より入射する入射光を前記液晶セル側に反射すると共に前記光源からのバックライト光を前記液晶セル側に透過する透過型反射板とを備えた表示装置において、
前記液晶セルは、複数の領域に区分された偏光板が積層され、
前記複数の領域が隣接する境界に形成された境界着色層を有していることを特徴とする表示装置。
【請求項２】
前記境界着色層は、前記偏光板を透過する光と同じ色となるように形成されたことを特徴とする請求項１記載の表示装置。
【発明の詳細な説明】
【技術分野】
【０００１】
本発明は、例えば車両に搭載される表示装置に関するものである。
【背景技術】
【０００２】
この種の表示装置として、例えば特許文献１に記載されているものが知られている。この表示装置は、一対の透明電極間への選択的な電圧印加により透過状態と不透過状態とが切り換わる表示部を有する液晶セルと、この液晶セルを照明する光源と、この光源と液晶セルとの間に配置され光源からの光を拡散する拡散板と、光源からの光を液晶セル側に透過する透過型反射板とを備えており、透過型反射板に設けられた着色部によって背景部を着色するものである。
【先行技術文献】
【特許文献】
【０００３】
【特許文献１】特開２０１０−２５６６４７号公報
【発明の開示】
【発明が解決しようとする課題】
【０００４】
しかしながら、特許文献１の表示装置は、反射板に設けた着色部によって背景部を複数の表示領域に分ける構造としているが、複数の着色層を備えた偏光板を用いた場合なども、隣接する着色層の間に生じた隙間が極端な背景色の変化を目立たせてしまうという問題点があった。
【０００５】
本発明は、この点に鑑みてなされたもので、隣接する偏光板の隙間による極端な背景色の変化を低減させることが可能な表示装置を提供するものである。
【課題を解決するための手段】
【０００６】
本発明は、前記目的を達成するため、一対の透明電極間への選択的な電圧印加により透過状態と不透過状態とが切り換わる表示部を有する液晶セルと、この液晶セルを照明する光源と、この光源と液晶セルとの間に配置され液晶セルを透過して前方側より入射する入射光を液晶セル側に反射すると共に光源からのバックライト光を液晶セル側に透過する透過型反射板とを備えた表示装置において、
前記液晶セルは、複数の領域に区分された偏光板が積層され、
前記複数の領域が隣接する境界に形成された境界着色層を有していることによって、隣接する偏光板の隙間による極端な背景色の変化を低減させることができる。
【０００７】
また本発明は、前記境界着色層は、前記偏光板を透過する光と同じ色となるように形成されたことによって、隣接する偏光板の隙間による極端な背景色の変化を低減させることができる。
【発明の効果】
【０００８】
本発明によれば、初期の目的を達成でき、隣接する偏光板の隙間による極端な背景色の変化を低減させることが可能な表示装置を提供することができる。
【図面の簡単な説明】
【０００９】
【図１】本発明の実施形態における表示装置の断面図。
【図２】本発明の実施形態における表示装置の断面図。
【図３】本発明の実施形態における表示部の正面図。
【図４】本発明の実施形態における半透過反射板の正面図。
【図５】本発明の実施形態における半透過反射板の拡大図。
【発明を実施するための形態】
【００１０】
図１に示すように、本実施形態による表示装置は、例えば自動車やオートバイ等の車両に搭載されるもので、回路基板１と、セルケース２と、光源３と、液晶セル４と、透過型反射板５とを備えている。
【００１１】
回路基板１は、例えば周知な硬質回路基板であり、光源３や液晶セル４が電気接続されている。
【００１２】
セルケース２は、例えば乳白色の合成樹脂材料からなり、回路基板１上に配置され、光源３を内部に収納すると共に、液晶セル４を背後から支持する。
【００１３】
光源３は、例えば発光ダイオードからなり、液晶セル４を背後からバックライト照明する。
【００１４】
液晶セル４は、例えばＴＮまたはＳＴＮ型であり、液晶分子を封入した一対のガラス基板４ａ内に形成された一対の透明電極間への選択的な電圧印加により透過状態と不透過状態とが切り換わる表示部４１を有する。
【００１５】
また、図２（ａ）、（ｂ）に示すように、この液晶セル４には、その前面及び背面のそれぞれに前面偏光板４３と裏面偏光板４４とが、ガラス基板４ａを挟んで貼着され、後述する表示部４１と背景部４２とによる表示に必要な偏光をなすようになっている。裏面偏光板４４は、複数の異なった色を有した偏光板を貼り合わせたものであり、その間に隙間６１が形成される。隙間６１は、観察者から極端な背景色の変化として視認されてしまう虞があるため、隙間６１を目立たなくするための境界着色層６を有している。
【００１６】
境界着色層６は、ガラス基板４ａの裏面偏光板４４側か、もしくは、前面偏光板４３のガラス基板４ａとは面していない側に隙間６１が覆われるように積層されている。
【００１７】
また、図３に示すように、表示部４１は不透過状態となった領域でタコメータＴＡ、スピードメータＳＰ、フューエルメータＦＵを表示すると共に、液晶表示部からなる表示部４１周囲の透過状態となった領域にて背景部４２を形成する。
【００１８】
なお本実施形態では、表示部４１は、電圧印加により常時不透過状態となる固定表示部４１ａと、計測対象の変化に応じて透過、不透過状態が切り換わる可変表示部４１ｂとで構成されるが、固定表示部４１ａは印刷等に置き換えても良い。
【００１９】
タコメータＴＡは、指標部と目盛部と数字部とからなる固定表示部４１ａと、エンジン回転数の変化に連動して長さが変化し、所定の固定表示部４１ａ箇所を示すバーグラフからなる可変表示部４１ｂとを備えている。
【００２０】
スピードメータＳＰは、「ｋｍ／ｈ」からなる固定表示部４１ａと、速度に応じた数値を表示する「日」の字セグメントからなる可変表示部４１ｂを備えている。
【００２１】
フューエルメータＦＵは、「Ｆ」，「Ｅ」，給油マークからなる印刷表示部Ｄと、タンク内燃料の変化に連動して長さが変化し、所定の固定表示部４１ａ箇所を示すバーグラフからなる可変表示部４１ｂとを備えている。
【００２２】
透過型反射板５は、液晶セル４と光源３との間に配置され、基板５１と、半透過反射層５２と、着色層５３とを有している。
【００２３】
基板５１は、例えば透光性合成樹脂からなる無色透明な板材からなり、液晶セル４のサイズに応じた大きさを有している。
【００２４】
半透過反射層５２は、例えばパール顔料を混入した印刷層からなり、基板５１の背面に形成され、光源３からの光を液晶セル４（前方）側に透過すると共に液晶セル４（前方）側から入射した光を液晶セル４（前方）側に反射する光学特性を備えている。なお半透過反射層５２自体の色は例えば乳白色である。
【００２５】
また、半透過反射板５２は、表示部４１の背景部を着色する透過性であって所定の密度によって形成されたドット状の着色層５３を有している。
【００２６】
着色層５３は、例えば透光性を有するインクを用いて所定の密度にて印刷形成されたドット状着色層の集合体からなり、表示部４１の背景部４２を適宜色に着色すると共に図３に示すようにタコメータＴＡ、スピードメータＳＰ、フューエルメータＦＵ単位で背景部４２を複数の領域にエリア分けするものである。
【００２７】
また、表示部４１に対応する半透過反射板５の表面側には、縁部５４によって縁取りがされ、表示部４１の境界を覆うので、色合いや輝度ムラなどを視認しづらくなる（図４，５）。
【００２８】
また、表示部４１の偏光板４３，４４の色と半透過反射板５との色味を合わせることによって、偏光板４３，４４によって着色されたセグメントと背景部４２とが混ざったように視認されてしまうのを防ぐことができる。
【００２９】
なお、本実施形態では着色層５３を基板５１に形成したが、基板５１とは別の基板を用意し、その表面または背面に形成し、半透過反射板５の前面側に重ねて配置してもよい。
【００３０】
このように構成される表示装置は、光源３の消灯時は、液晶セル４の前方側から入射する自然光等の光が着色層５２を照らすと共に基板５１を透過した光の一部が透過型反射板５の半透過反射層５２によって反射されて基板５１及び着色層５２を透過することによって背景部４２が明るく、この背景部４２中にあり電圧印加により不透過状態となる表示部４１が光を遮ることで暗く視認される。
【００３１】
ここで着色層５３はドット状であるため、光がドット状着色層５３１の隙間Ｓを通って半透過反射層５２（透過型反射板５）に入射すると共に反射光がその隙間Ｓを通って出射するため、半透過反射層５２（透過型反射板５）への外光の入射不足が緩和され、これにより背景部４２を着色しながら表示部４１と背景部４２とのコントラストを良好に保つことができる。
【００３２】
一方、光源３の点灯時は、光源３からの光が半透過反射層５３及び基板５２を透過して着色層を照らすため、背景部４２が明るく、電圧印加により不透過状態となる表示部４１が光を遮ることで暗く視認され、これにより、光源３の点灯時でも表示部４１と背景部４２とが所定のコントラストを有して視認される。
【００３３】
また、光源３の光は、基板５１及び半透過反射層５２を通過して、着色層５３によって着色され、複数の領域に区分された裏面偏光板４４と境界着色層６を透過し、更にガラス基板４ａ及び前面偏光板４３を通過する。境界着色層６は隙間６１を覆うように設けられ、着色層５３によって着色された光の色と同じ色味となっていることによって、隙間６１が目立たなくなる（図２ａ参照）。
【００３４】
なお、図２ｂに示したように、境界着色層６は、着色層５３によって着色された光源の光が通過する箇所に設けられていればよく、例えば前面偏光板４３の前面側であって、且つ隙間６１を覆う箇所に設けても同様の効果が期待できる。
【００３５】
以上のように、本実施形態では、一対の透明電極間への選択的な電圧印加により透過状態と不透過状態とが切り換わる表示部４１を有する液晶セル４と、この液晶セル４を照明する光源３と、この光源３と液晶セル４との間に配置され液晶セル４を透過して前方側より入射する入射光を液晶セル４側に反射すると共に光源３からのバックライト光を液晶セル４側に透過する透過型反射板５とを備えた表示装置において、
液晶セル４は、複数の領域に区分された裏面偏光板４４が積層され、複数の領域が隣接する境界に形成された境界着色層６を有していることによって、隣接する偏光板の隙間６１による極端な背景色の変化を低減させることができる。
【００３６】
前記境界着色層は、境界着色層６は、前面偏光板４３及び裏面偏光板４４を透過する光と同じ色となるように形成されたことによって、隣接する偏光板の隙間６１による極端な背景色の変化を低減させることができる。
【符号の説明】
【００３７】
１  回路基板
２  セルケース
３  光源
４  液晶セル
４ａ  ガラス基板
５  透過型反射板
６  境界着色層
４１  表示部
４２  背景部
４１ａ  固定表示部
４１ｂ  可変表示部
４３  前面偏光板
４４  裏面偏光板
５１  基板
５２  半透過反射層（透過型反射板）
５３  着色層
６１  隙間
ＳＰ  スピードメータ
ＴＡ  タコメータ
ＴＲ  トリップメータ
ＦＵ  フューエルメータ
【図１】
2013178357.tif 000003
【図２】
2013178357.tif 000004
【図３】
2013178357.tif 000005
【図４】
2013178357.tif 000006
【図５】
2013178357.tif 000007